(57)【要約】【課題】石材打ち込みＰＣａ板の強度を確保しながら、石材の補修を容易にし、建物の改修・解体に際してはコンクリートのリサイクルや石材の再使用を可能にする石材打ち込みＰＣａ板と固定アンカーを提供する。【解決手段】本発明による石材打ち込みＰＣａ板１は、石材２の所定位置に複数の固定アンカー装着穴３を穿って構成し、石材２の固定アンカー装着穴３に、外部チュ−ブ６と外部チュ−ブ６の後端７に配置される拡大した止め付けクリップ部８から成る固定アンカー４を固着し、固定アンカー４が外部チュ−ブ６の先端９に固定アンカー装着穴３からの抜け止めアンカー部１０を配置している。【選択図】  図１
2005002579.tif 000002
【特許請求の範囲】
【請求項１】
石材をコンクリートの表面に打ち込んで構成される石材打ち込みＰＣａ板であって、石材の所定位置に複数の固定アンカー装着穴を穿って構成し、該石材の固定アンカー装着穴に、外部チュ−ブと該外部チュ−ブの後端に配置される拡大した止め付けクリップ部から成る固定アンカーを固着することを特徴とする石材打ち込みＰＣａ板。
【請求項２】
固定アンカーが、外部チュ−ブの先端に固定アンカー装着穴からの抜け止めアンカー部を配置することを特徴とする請求項１に記載の石材打ち込みＰＣａ板。
【請求項３】
長尺のカーボン繊維束、該カーボン繊維束を内部に挿通して固着充填される外部チュ−ブ、該外部チュ−ブの先端に配置されカーボン繊維束の一端と結合する抜け止めアンカー部及び外部チュ−ブの後端に配置されカーボン繊維束と結合する拡大止め付けクリップ部から構成される固定アンカー。
【請求項４】
拡大固定クリップが、外部チュ−ブから離脱可能であることを特徴とする請求項３に記載の固定アンカー。
【発明の詳細な説明】
【０００１】
【発明の属する技術分野】
本発明は、石材打ち込みＰＣａ板と固定アンカーに関し、特に、必要に応じて石材とコンクリートとを分離可能に構成する石材打ち込みＰＣａ板と固定アンカーに関する。
【０００２】
【従来の技術】
石材打ち込みＰＣａ板は、石種として花樹岩を主にしながら、砂岩や大理石を採用しており、この他にもライムストーンや珪岩の例もあるが、潜在的なクラックが多いことから、経年劣化による割れの発生、凍害及び錆の発生に対して常にその対策を行っている。
【０００３】
例えば、石材の厚さは、バーナー加工時の反り、シアコネクター取付け時の貫通やコネクター孔に生じる濡れ色あるいはハンドリング中の割れを考慮して３０ｍｍを標準にしている。
【０００４】
又、石材打ち込みＰＣａ板を作製する際には、石材とコンクリートとの接合強度を増大させるために、一般的にクリップ形状のシャーコネクターを石材に取り付け、コンクリートを打ち込む方法を取っている。（例えば、特許文献１を参照）
【０００５】
この方法は、図４に示すように、石材２０を打ち込みコンクリート２１と一体化するために、石材２０の裏面に先端が４５〜６０°の角度で交差する方向に形成される係止孔２２、２２に、線状部材の両端部が内側方向に曲折される係止部２３を有するシアコネクター２４を係止孔２２内に挿入して、注入されるエポキシ樹脂接着剤２５で弾性的に固着している。
【０００６】
しかしながら、これらの結合方法は、石材打ち込みＰＣａ板を施工した後に、石材の表面にひび割れや汚れ等の不具合が発見されたとしても、石材打ち込みＰＣａ板は下から嵌合で取り付けられているために、中間部分を取り外すことはできずに問題の石材だけを取り代えることが不可能である。このために、不具合に対しては石材の表面から固定アンカーを打つ等の応急処置を取るに留まっている。
【０００７】
又、建物の改修・解体時に石材打ち込みＰＣａ板を取り外した際には、コンクリートと石材を分離することが極めて困難であることから、コンクリートのリサイクルや石材の再使用は難しくなっている。
【０００８】
【特許文献１】
特開平６−１４６４６９号公報（段落番号「０００９」〜「００１１」の欄、図１〜３）
【０００９】
【発明が解決しようとする課題】
本発明は、以上の状況に鑑みて従来の問題点を改善するために提案するものであり、石材打ち込みＰＣａ板の強度を確保しながら、石材の補修を容易にして、建物の改修・解体に際してはコンクリートのリサイクルや石材の再使用を可能にする石材打ち込みＰＣａ板と固定アンカーを提供している。
【００１０】
【課題を解決するための手段】
本発明による石材打ち込みＰＣａ板は、石材をコンクリートの表面に打ち込んで構成される石材打ち込みＰＣａ板において、石材の所定位置に複数の固定アンカー装着穴を穿って構成し、石材の固定アンカー装着穴に、外部チュ−ブと該外部チュ−ブの後端に配置される拡大した止め付けクリップ部から成る固定アンカーを固着することを基本にし、固定アンカーが外部チュ−ブの先端に固定アンカー装着穴からの抜け止めアンカー部を配置することを特徴としており、これによって、石材打ち込みＰＣａ板としての強度を確保しながら、建物の改修・解体に際しては、コンクリートのリサイクルや石材の再使用を可能にしている。
【００１１】
又、本発明による固定アンカーは、長尺のカーボン繊維束と、カーボン繊維束を内部に挿通して固着充填される外部チュ−ブと、外部チュ−ブの先端に配置されカーボン繊維束の一端と結合する抜け止めアンカー部及び外部チュ−ブの後端に配置されカーボン繊維束と結合する拡大止め付けクリップ部から構成され、拡大固定クリップが外部チュ−ブから離脱可能であることを特徴としており、石材とコンクリートとの結合強度を確保すると共に、石材打ち込みＰＣａ板のコンクリートをリサイクルし石材の再使用を可能にしている。
【００１２】
【発明の実施の形態】
本発明による石材打ち込みＰＣａ板は、石材をコンクリートの表面に打ち込んで構成される石材打ち込みＰＣａ板において、石材の所定位置に複数の固定アンカー装着穴を穿って構成し、石材の固定アンカー装着穴に、外部チュ−ブと該外部チュ−ブの後端に配置される拡大した止め付けクリップ部から成る固定アンカーを固着し、固定アンカーが外部チュ−ブの先端に固定アンカー装着穴からの抜け止めアンカー部を配置している。
以下に、本発明による石材打ち込みＰＣａ板の実施の形態を図面に基づいて詳細に説明する。
【００１３】
図１は、本発明の石材打ち込みＰＣａ板を示す実施の形態の断面図であり、石材打ち込みＰＣａ板１を構成している石材２には、該当する所定位置に８〜１０ヶ所／ｍ２の固定アンカー装着穴３が穿孔されている。石材２の固定アンカー装着穴３には、固定アンカー４が装着されて注入される二液性エポキシ樹脂５によって固着されている。
【００１４】
固定アンカー４は、内部にカーボン繊維束を挿通して一液性エポキシ樹脂を充填することでこれを固着している外部チュ−ブ６と外部チュ−ブの後端７に配置される拡大した止め付けクリップ部８及び外部チュ−ブの先端９に配置されている抜け止めアンカー部１０から構成されており、抜け止めアンカー部１０の爪を固定アンカー装着穴３の孔壁に引掛けることで抜け止めしている。
【００１５】
石材２に固着された固定アンカー４は、石材打ち込みＰＣａ板１を構成しているコンクリート１１の内部に止め付けクリップ部８の表面１２を露出させる状態で埋設されており、外部チュ−ブ６はコンクリート１１と縁切り状態に構成されている。
【００１６】
石材２は、コンクリートとの間に一液性エポキシ樹脂等から成る裏面処理材１３を敷設していることで、コンクリートに拘束されることを回避してひび割れの発生を阻止しているものであり、コンクリート１１との取り付けは、固定アンカー装着穴３に固定された抜け止めアンカー部１０とコンクリートに埋設されている固定アンカー４の拡大した止め付けクリップ部８とによっている。
【００１７】
石材打ち込みＰＣａ板１は、以上の構成によってその強度を確保すると共に、石材２はコンクリート１１の拘束を回避してひび割れが発生しないように構成されている。
【００１８】
しかして、本発明による石材打ち込みＰＣａ板は、石材の補修を容易にして、建物の改修・解体に際してコンクリートのリサイクルや石材の再使用を可能にすることを特長にしているものであり、その処理方法を以下に説明する。
【００１９】
図２は、本発明による石材打ち込みＰＣａ板をコンクリートと石材とに分離してコンクリートをリサイクルし、石材を再使用するための処理工程を示している。
【００２０】
本発明による石材打ち込みＰＣａ板では、石材打ち込みＰＣａ板１を施工した後にひび割れや汚れ等の不具合が発生した場合あるいは建物の改修や解体時には、石材打ち込みＰＣａ板１を躯体から取り外して分離処理している。
【００２１】
石材打ち込みＰＣａ板１は、裏面のコンクリート１１側から見ると止め付けクリップ部８の表面１２が露出されているので、分離処理するために、先ず固定アンカー４の位置を確認し、次いで、図２（ａ）に示すように止め付けクリップ部８の周辺部分１４を斫って止め付けクリップ部８を掘り起こしている。
【００２２】
掘り出された止め付けクリップ部８は、これを取り外すことによってコンクリート１１と石材２とは、相互の結合状態を解放することになり、石材打ち込みＰＣａ板１は、図２（ｂ）に示すようにコンクリート１１から石材２を分離する。
【００２３】
その後は、特に図示しないが石材打ち込みＰＣａ板１に在っては、問題になって取り外した石材に換えて新しい石材２と取り替えることで、ひび割れや汚れ等の不具合を解消して石材打ち込みＰＣａ板の補修を容易にして再生させるものであり、建物の改修や解体の場合には、石材を再利用に回して、コンクリートはこれを粉砕してリサイクルに回すようにしている。
【００２４】
以上のように、本発明による石材打ち込みＰＣａ板は、実施の形態で説明したように構成されることで、石材打ち込みＰＣａ板としての強度を確保しながら、石材の補修を容易にして、建物の改修・解体に際しては、コンクリートのリサイクルや石材の再使用を可能にしている。
【００２５】
又、本発明による固定アンカーは、長尺のカーボン繊維束と、カーボン繊維束を内部に挿通して固着充填される外部チュ−ブと、外部チュ−ブの先端に配置されカーボン繊維束の一端と結合する抜け止めアンカー部及び外部チュ−ブの後端に配置されカーボン繊維束と結合する拡大止め付けクリップ部から構成され、拡大固定クリップが外部チュ−ブから離脱可能であることを特徴としている。
以下に、本発明による固定アンカーの実施の形態を図面に基づいて詳細に説明する。
【００２６】
図３は、本発明の固定アンカーを示す実施の形態の斜視図であり、固定アンカー４は、外部チュ−ブ６と外部チュ−ブの後端７に配置される拡大した止め付けクリップ部８及び外部チュ−ブの先端９に配置されている抜け止めアンカー部１０から構成されている。
【００２７】
外部チュ−ブ６は、ＦＲＰ製であってその内部には、長尺のカーボン繊維束１５を挿通している。カーボン繊維束１５は、外部チュ−ブ６の内部に充填された一液性エポキシ樹脂１６等で固着されており、その一端は、止め付けクリップ部８に結合されると共に、抜け止めアンカー部１０に挿通させたカーボン繊維束１５の他端１７は、抜け止めアンカー部１０外に所定長さを残して、固定アンカー装着穴３の中部に拡散するようにして置きながら、抜け止めアンカー部１０と結合させている。
【００２８】
止め付けクリップ部８は、カーボン繊維束１５によって外部チュ−ブ６の後端７に配置されているが、必要に応じて外部チュ−ブ６とカーボン繊維束１５とから分離できるように構成されている。
【００２９】
又、抜け止めアンカー部１０は、側面に爪等の引掛け部分１７を配置しており、固定アンカー装着穴３に装着することは容易であるが、引き抜く際には引掛け部分１７が固定アンカー装着穴３の孔壁に引掛けられて抜け止め作用をするように構成されている。
【００３０】
以上のように、本発明による固定アンカーは、実施の形態で説明したように構成されることで、石材とコンクリートとの結合強度を確保すると共に、必要な場合には、コンクリートと石材とを分離させることで石材の補修を容易にすると共に、コンクリートはリサイクルさせて、石材は再使用可能にしている。
【００３１】
以上、本発明を各実施の形態に基づいて詳細に説明してきたが、本発明による石材打ち込みＰＣａ板と固定アンカーは、上記実施の形態に何ら限定されるものでなく、各部材の形状や材質、繊維の種類及び樹脂等の具体的な形態においては、本発明の趣旨を逸脱しない範囲において種々の変更が可能であることは当然のことである。
【００３２】
【発明の効果】
本発明による石材打ち込みＰＣａ板は、石材をコンクリートの表面に打ち込んで構成される石材打ち込みＰＣａ板において、石材の所定位置に複数の固定アンカー装着穴を穿って構成し、石材の固定アンカー装着穴に、外部チュ−ブと該外部チュ−ブの後端に配置される拡大した止め付けクリップ部から成る固定アンカーを固着することを基本にし、固定アンカーが外部チュ−ブの先端に固定アンカー装着穴からの抜け止めアンカー部を配置することを特徴としているので、石材打ち込みＰＣａ板としての強度を確保しながら、不具合時の石材の取り替えによる補修を容易にし、建物の改修・解体に際しては、コンクリートのリサイクルや石材の再使用を可能にする効果を奏している。
【００３３】
又、本発明による固定アンカーは、長尺のカーボン繊維束と、カーボン繊維束を内部に挿通して固着充填される外部チュ−ブと、外部チュ−ブの先端に配置されカーボン繊維束の一端と結合する抜け止めアンカー部及び外部チュ−ブの後端に配置されカーボン繊維束と結合する拡大止め付けクリップ部から構成され、拡大固定クリップが外部チュ−ブから離脱可能であることを特徴としているので、石材とコンクリートとの結合強度を確保すると共に、必要な場合には、コンクリートと石材とを分離させることで、石材の取り替え補修やコンクリートのリサイクルと石材の再使用を可能にする効果を奏している。
【図面の簡単な説明】
【図１】本発明による石材打ち込みＰＣａ板の実施形態の断面図
【図２】石材打ち込みＰＣａ板を分離させる処理工程の断面図
【図３】本発明による固定アンカーの実施形態の斜視図
【図４】従来の石材打ち込みＰＣａ板の断面図
【符号の説明】
１  石材打ち込みＰＣａ板、  ２  石材、  ３  固定アンカー装着穴、
４  固定アンカー、  ５  二液性エポキシ樹脂、  ６  外部チューブ、
７  後端、  ８  止め付けクリップ部、  ９  先端、
１０  抜け止めアンカー部、  １１  コンクリート、  １２  表面、
１３  裏面処理材、  １４  周辺部分、  １５  カーボン繊維束、
１６  一液性エポキシ樹脂、  １７  引掛け部分、
２０  石材、  ２１  打ち込みコンクリート、  ２２  係止孔、
２３  係止部、  ２４  シアコネクター、  ２５  エポキシ樹脂接着剤、
【図１】
2005002579.tif 000003
【図２】
2005002579.tif 000004
【図３】
2005002579.tif 000005
【図４】
2005002579.tif 000006